【手続補正書】
【提出日】平成16年9月21日(2004.9.21)
【手続補正１】
【補正対象書類名】明細書
【補正対象項目名】全文
【補正方法】変更
【補正の内容】
【書類名】        明細書
【発明の名称】    スイッチ
【特許請求の範囲】
【請求項１】  操作ノブの裏面に照射される照明光を、該操作ノブの前面に導いて視認できるようにしたスイッチにおいて、
ライトガイドによりスイッチの外側部に導かれた照明光を、該スイッチに形成した導入口からスイッチ筺体内に導入するとともに、導入端に配設した反射面により反射させて、前記操作ノブの裏面を照射するようにしたことを特徴とするスイッチ。
【請求項２】  操作ノブの裏面に照射される照明光を、該操作ノブの前面に導いて視認できるようにしたスイッチにおいて、
照明ランプを取り囲む半球形状部と、該半球形状部から直線状のライトガイド部を突成してなるライトガイドを配置し、前記半球形状部の一部を切り欠くことにより、照明ランプ光を直接前記スイッチに形成した導入口からスイッチ筺体内に導入するとともに、導入端に配設した反射面により反射させて、前記操作ノブの裏面を照射するようにしたことを特徴とするスイッチ。
【請求項３】  操作ノブの裏面に照射される照明光を、該操作ノブの前面に導いて視認できるようにしたスイッチにおいて、
照明ランプ光を、該スイッチに形成した導入口からスイッチ筺体内に導入するとともに、該スイッチ筐体内に配設した反射面により反射させて、前記操作ノブの裏面を照射するようにしたことを特徴とするスイッチ。
【発明の詳細な説明】
【０００１】
【発明の属する技術分野】
本発明は、操作ノブの裏面に照射される照明光を、該操作ノブの前面に導いて視認できるようにしたスイッチに関するものである。
【０００２】
【従来の技術】
従来は、操作ノブの前面に照明光を導いて視認できるようにするため、スイッチ筺体内に照明ランプを配設していた。
【０００３】
【発明が解決しようとする課題】
しかしながら、複数の独立したスイッチを配置して、各スイッチの操作ノブの前面に照明光を導く場合には、個々に照明ランプが必要となりコスト高となる。本発明は上記に鑑みてなされたもので、照明ランプを各スイッチで共用できるようにするとともに、該照明ランプの照明光を操作ノブの前面に導いて視認できるようにしたスイッチを提供することを目的とするものである。
【０００４】
【課題を解決するための手段】
上記目的を達成するための請求項１に記載の本発明のスイッチは、操作ノブの裏面に照射される照明光を、該操作ノブの前面に導いて視認できるようにしたスイッチにおいて、ライトガイドによりスイッチの外側部に導かれた照明光を、該スイッチに形成した導入口からスイッチ筺体内に導入するとともに、導入端に配設した反射面により反射させて、前記操作ノブの裏面を照射するようにしたことを特徴とする。
【０００５】
また、請求項２に記載の本発明のスイッチは、操作ノブの裏面に照射される照明光を、該操作ノブの前面に導いて視認できるようにしたスイッチにおいて、照明ランプを取り囲む半球形状部と、該半球形状部から直線状のライトガイド部を突成してなるライトガイドを配置し、前記半球形状部の一部を切り欠くことにより、照明ランプ光を直接前記スイッチに形成した導入口からスイッチ筺体内に導入するとともに、導入端に配設した反射面により反射させて、前記操作ノブの裏面を照射するようにしたことを特徴とする。
【０００６】
請求項３に記載の本発明のスイッチは、操作ノブの裏面に照射される照明光を、該操作ノブの前面に導いて視認できるようにしたスイッチにおいて、
照明ランプ光を、該スイッチに形成した導入口からスイッチ筺体内に導入するとともに、該スイッチ筐体内に配設した反射面により反射させて、前記操作ノブの裏面を照射するようにしたことを特徴とする。
【０００７】
【発明の作用及び効果】
請求項１に記載のスイッチによれば、ライトガイドによりスイッチの外側面に導かれた照明光は、導入口からスイッチ筺体内に導入され、反射面で反射して操作ノブの裏面を照射する。従って、スイッチ毎に照明ランプを設ける必要がない。
【０００８】
請求項２に記載のスイッチによれば、照明ランプを取り囲むライトガイドの半球形状部の一部を切り欠いた部分から、照明ランプ光が直接導入口からスイッチ筺体内に導入され、反射面で反射して操作ノブの裏面を照射する。従って、スイッチ筺体内に照明ランプを配設する必要がない。また、ライトガイドは、上記半球形状部から直線状のライトガイド部が突成されているから、該照明ランプ光を他のスイッチ装置の照明光として利用できる。
【０００９】
請求項３に記載のスイッチによれば、照明ランプ光は、該スイッチに形成した導入口からスイッチ筺体内に導入され、該スイッチ筐体内に配設された反射面で反射して操作ノブの裏面を照射する。スイッチ筐体内に照明ランプを配置する必要がない分、該スイッチ筐体内のスイッチ構成部の配置空間を拡大できる。
【００１０】
【発明の実施の形態】
本発明のスイッチを適用したスイッチ装置の実施形態を添付図面を参照して説明する。図１はスイッチ装置１の正面図、図２は図１に於けるＡ−Ａ線断面図である。スイッチ装置１のコントロールパネル２には、ハザードスイッチ３及びデフロスタスイッチ４及びエアコンスイッチ５が組み込まれている。また、吹出しモード切替用のロータリノブ６、ブロアスイッチのロータリノブ７及び温度調節用のロータリノブ８が横一列に設けられている。そして、各ロータリノブ６、７及び８の外周部に、円弧状のライトガイド９、１０、１１が配設され、コントロールパネル２の表面に現れている。
【００１１】
上記各円弧状のライトガイド９、１０、１１は、コントロールパネル２の裏面に於いて、照明ランプ１２を取り囲む半球形状部１３から放射状に突成した直線状のライトガイド１４と連結されている。半球形状部１３は、吹出しモード切替用のロータリノブ６とブロアスイッチのロータリノブ７の間及びブロアスイッチのロータリノブ７と温度調節用のロータリノブ８の間に配置されている。ハザードスイッチ３の下面に位置する半球形状部１３は、上部に導光壁１３ａを設けた開口１３ｂが形成されている。また、デフロスタスイッチ４の下面には、該半球形状部１３から放射状に突成した直線状のライトガイド１４の端部１４ａが対応している。
【００１２】
ハザードスイッチ３及びデフロスタスイッチ４は、共に同一の構造の押圧スイッチである。従って、ハザードスイッチ３についてその構造を説明する。スイッチ筺体３１内には、押圧操作ノブ３２の押圧操作によりスイッチングされるスイッチ構成部３３が配設されている。押圧操作ノブ３２は、筒状部３４をスイッチ筺体３１に挿入するとともに、スイッチ構成部３３の外周に嵌挿されて摺動可能となっている。図２に示すようにスイッチ筐体３１内に照明ランプ１２が配置されていないから、その分、該スイッチ筐体２１内のスイッチ構成部３３の配設空間を拡大できる。また、押圧操作ノブ３２の前面の押圧操作面３２ａには、有色透光性のマーク表示３５が形成されている。
【００１３】
さらに、スイッチ筺体３１の下面には、ライトガイドの半球形状部１３の開口１３ｂに対応する照明ランプ光の導入口３６が形成されている。該導入口３６に対応して押圧操作ノブ３２の筒状部３４にも、開口３４ａが形成されている。そして、導入口３５及び開口３４ａから導入された照明ランプ光を反射させて、押圧操作ノブ３２のマーク表示３５を照明する反射面３７が、スイッチ構成部３３に配設されている。
【００１４】
上記スイッチ装置１は、照明ランプ１２が点灯すると半球形状部１３及び直線状のライトガイド１４により照明ランプ光がカイドされ、該ライトガイド１４及び円弧状のライトガイド９〜１１が照明される。また、ハザードスイッチ３は、半球形状部１３の開口１３ｂからの照明ランプ光が、導入口３６及び開口３４ａから導入されて反射面３７で反射し、マーク表示３５を照明する。マーク表示３５は有色透光性であるから、該マーク表示３５に導かれた照明ランプ光を所定の色彩で視認することができる。同様に、デフロスタスイッチ４も、ライトガイド１４の端部１４ａからの照明ランプ光がマーク表示４５に導かれて、所定の色彩で視認することができる。従って、ハザードスイッチ３及びデフロスタスイッチ４にそれぞれ照明ランプ１２を配設する必要がない。また、ライトガイドは、半球形状部１３から直線状のライトガイド１４が突成されているから、該照明ランプ光を他のマーク表示等の照明光として利用できる。
【図面の簡単な説明】
【図１】
スイッチ装置１の正面図である。
【図２】
図１に於けるＡ−Ａ線断面図である。
【符号の説明】
１...スイッチ装置
３...ハザードスイッチ
４...デフロスタスイッチ
９〜１１，１４...ライトガイド
１３...半球形状部
１３ｂ...開口
１４ａ...端部
３１...スイッチ筺体
３２...押圧操作ノブ
３３…スイッチ構成部
３４...筒状部
３４ａ...開口
３５，４５...マーク表示
３７...反射面